(57)【要約】【課題】  暗証番号を覗き見されたり、推察されたりして、盗難された取引カード、また偽造された取引カードを用いて不正取引を行う。また、犯罪者が複数回にわたって不正取引を行い預貯金の大半を引き出されてしまう。という問題があった。【解決手段】  取引にてあらかじめ登録された連絡先７にその取引に必要な暗証番号を専用通信回線６にて通知する。また、あらかじめ登録された複数の連絡先７に公衆通信回線６によってその取引の取引情報を通知するようにしたものである。【選択図】  図１
2007079965.tif 000002
【特許請求の範囲】
【請求項１】
利用者の操作により各種金融取引を行う取引装置と、あらかじめ登録された連絡先と預貯金者を特定する記録情報が格納されたホストコンピュータと、預貯金者等が携帯し該預貯金者を特定する記録情報が格納された取引カードと、前記取引装置と前記ホストコンピュータを結ぶ専用通信回線と、前記ホストコンピュータに接続された情報送信装置と、前記ホストコンピュータを制御する制御部と、を有し、
前記制御部は前記取引装置に投入された前記取引カードから預貯金者を特定する記録情報を取得し、この記録情報と前記ホストコンピュータの記録情報との一致が確認された場合、その取引に必要な暗証番号を生成し、前記情報送信装置は前記あらかじめ登録された連絡先に該その取引に必要な暗証番号を通知すること特徴とする取引システム
【請求項２】
請求項１の取引システムにおいて、
前記その取引に必要な暗証番号を通知する手段は携帯端末装置の音声またはメール手段であることを特徴とする取引システム
【請求項３】
利用者の操作により各種金融取引を行う取引装置と、あらかじめ登録された複数の連絡先と預貯金者を特定する記録情報が格納されたホストコンピュータと、預貯金者等が携帯し該預貯金者を特定する記録情報が格納された取引カードと、前記取引装置と前記ホストコンピュータを結ぶ専用通信回線と、前記ホストコンピュータに接続された情報送信装置と、前記ホストコンピュータを制御する制御部と、を有し、
前記制御部は前記取引装置に投入された前記取引カードから預貯金者を特定する記録情報を取得し、この記録情報と前記ホストコンピュータの記録情報との一致が確認された場合、前記各種金融取引を実行すると共に前記情報送信装置は前記あらかじめ登録された複数の連絡先にその取引の取引情報を通知することを特徴とする取引システム
【請求項４】
請求項３の取引システムにおいて、
前記その取引の取引情報は利用日時，取引種別，金額のいずれかひとつを含むことを特徴とする取引システム
【請求項５】
請求項３の取引システムにおいて、
前記その取引の取引情報を通知する手段はメール手段であることを特徴とする取引システム
【発明の詳細な説明】
【技術分野】
【０００１】
本発明は、現金自動取引装置等の不正取引の防止、または不正取引の被害にあった場合でも被害を最小限にする取引システムに関するものである。
【背景技術】
【０００２】
従来、現金自動取引装置等を用いた不正取引を防止するため、取引開始直前の本人確認作業は、取引利用者である預貯金者等が携帯し預貯金者を特定する記録情報が格納された取引カードである磁気カードやＩＣカード等の媒体上の暗証番号と、預貯金者が入力手段から入力した暗号番号の一致の確認、または金融機関等のホストコンピュータの記憶手段に格納された預貯金者取引情報上の暗号番号と、預貯金者が入力手段から入力した暗号番号の一致の確認により取引が行われていた。このように金融機関から支給された取引カードを使用することと暗証番号を入力することで本人確認をしないと取引をすることはできなかった。このような技術を用いた文献はたとえば特開平５−２４２１３０号がある。
【０００３】
【特許文献１】特開平５−２４２１３０号公報
【発明の開示】
【発明が解決しようとする課題】
【０００４】
しかしながら、上述した従来の技術は、預貯金者が携帯し預貯金者を特定する記録情報が格納された取引カード等の媒体上の暗証番号と、預貯金者が入力手段から入力した暗号番号の一致の確認、または金融機関等のホストコンピュータの記憶手段に格納された預貯金者取引情報上の暗号番号と、預貯金者が入力手段から入力した暗号番号の一致の確認により取引が行われているため、自動取引装置操作中に背後から暗証番号を覗き見されたり、誕生日や電話番号、自動車のナンバープレートなどから暗証番号を推察されたりして、盗難された取引カード、また偽造された取引カードを用いて取引を不正に行われるといった事件が多発している。
【０００５】
また、盗難された取引カードや偽造された取引カードで現金自動取引装置等を用いて現金等を不正に取引されたことが口座保有者やその家族等にもわからない。したがって犯罪者が複数回にわたって不正取引を行い預貯金の大半を引き出されてしまう。この結果、預貯金者や銀行は多大な被害をこうむるといった問題があった。
【課題を解決するための手段】
【０００６】
上記問題を解決するため本願発明は、利用者の操作により各種金融取引を行う取引装置と、あらかじめ登録された連絡先と口座情報，名前および連絡先等の預貯金者を特定する記録情報が格納されたホストコンピュータと、預貯金者等が携帯し該預貯金者を特定する口座情報，名前および連絡先等の記録情報が格納された取引カードと、前記取引装置と前記ホストコンピュータを結ぶ専用通信回線と、前記ホストコンピュータに接続された情報送信装置と、前記ホストコンピュータを制御する制御部とから構成され、前記制御部は前記取引装置に投入された前記取引カードから預貯金者を特定する記録情報を取得し、この記録情報と前記ホストコンピュータの記録情報との一致が確認された場合、前記情報送信装置は前記あらかじめ登録された連絡先にその取引に必要な暗証番号を携帯端末装置の音声またはメール手段にて通知すること特徴とする。
【０００７】
また、他の発明は、利用者の操作により各種金融取引を行う取引装置と、あらかじめ登録された複数の連絡先と口座情報，名前および連絡先等の預貯金者を特定する記録情報が格納されたホストコンピュータと、預貯金者等が携帯し該預貯金者を特定する記録情報が格納された取引カードと、前記取引装置と前記ホストコンピュータを結ぶ専用通信回線と、前記ホストコンピュータに接続された情報送信装置と、前記ホストコンピュータを制御する制御部とから構成され、前記制御部は前記取引装置に投入された前記取引カードから預貯金者を特定する記録情報を取得し、この記録情報と前記ホストコンピュータの記録情報との一致が確認された場合、前記各種金融取引を実行すると共に前記情報送信装置は前記あらかじめ登録された複数の連絡先にその取引の取引情報を通知することを特徴とするものである。
【発明の効果】
【０００８】
本発明の取引システムによれば、ホストコンピュータは取引ごとに利用者のあらかじめ登録された連絡先に暗証番号を通知する。したがって、暗証番号を覗き見されたり、誕生日，電話番号または自動車のナンバープレート等から暗証番号を推察されたり、盗難された取引カードまたは偽造された取引カードを用いた不正取引を防止できる。
【０００９】
また、あらかじめ登録された複数の連絡先にその取引の取引情報を通知するので、盗難された取引カードまたは偽造された取引カードで取引装置等を用いて不正に取引されたとしても、複数の連絡先に登録された口座保有者やその家族等が、その取引の取引情報から不自然な取引に気がつき、直ちに金融機関に連絡する。したがって犯罪者が複数回にわたって取引を行い預貯金の大半を引き出すといった被害を最小限にすることが出来る。
【発明を実施するための最良の形態】
【００１０】
以下、本発明の実施例について図面に従って詳細に説明する。
図１は本発明の取引システムの構成図、図２は自動取引装置１のブロック図、図３は本発明の実施例１の取引システムのフローチャートである。図４は本発明の実施例２の取引システムのフローチャートである。
【００１１】
＜実施例１＞
図１において、１は自動取引装置であり、銀行等の金融機関またはコンビ二エンスストア等に設置されるものである。この自動取引装置１は利用者の操作により現金の入金取引，出金取引，振込み等各種金融取引ができるものである。
また、この自動取引装置１は専用通信回線２にて通信可能に接続されている。
【００１２】
３はホストコンピュータであり、銀行等の金融機関の事務センタ等に設置される。このホストコンピュータ３は自動取引装置１で利用者の口座への入金および利用者の口座からの出金等の取引を行う場合、自動取引装置１との間で入金、出金等の取引データ等の送受信を行う。
なお、ホストコンピュータ３は専用通信回線２を介して１台または２台以上の自動取引装置１と相互に通信可能に接続されている。
【００１３】
ホストコンピュータ３の制御部（図示せず）は、入金取引，出金取引，振込み等各種金融取引を行う際、ホストコンピュータ３の記憶部（図示せず）にあらかじめ登録された連絡先を読み出す機能を有し、読み出された連絡先に１取引ごとに乱数表等を用いてランダムな暗証番号を作成し取引終了まで管理する。通信装置４はランダムな暗証番号を音声またはメール手段等で公衆回線６にて連絡先７に通知する機能を有する。なお、通信装置４およびあらかじめ登録された連絡先を記憶する記憶部は自動取引装置１やホストコンピュータ３に組み込まれていてもよい。
【００１４】
図１から図２において、自動取引装置１は利用者操作表示部２１、カードリーダプリンタ部２２、入出金部２３、通帳部２４および制御部２５を備えている。
【００１５】
利用者操作表示部２１は、ディスプレイ等の表示部上にタッチパネルを配置し利用者が入力操作を行うものであり、また、取引選択画面、利用者が選択した取引に対して利用者の入力操作等の誘導を行う画面および入力された情報等を表示するものである。
カードリーダプリンタ部２２は、利用者がカード挿入口から挿入した取引カード５の磁気ストライプまたはＩＣチップ等から口座情報，名前および連絡先等の利用者情報を読み取りまたは磁気ストライプ等に記録し、また利用者がした取引の内容を明細票に印刷するものである。利用者情報を読み取った取引カード５はカード排出口から排出して利用者に返却し、また、取引内容を印刷した明細票は明細票排出口から排出して利用者に発行する。
【００１６】
入出金部２３は、紙幣入出金機および硬貨入出金機で構成され、取引に伴う紙幣や硬貨の入出金処理を行うものである。ここで、入出金処理とは利用者が紙幣入出金口に入れた紙幣を紙幣入出金機で計数して金庫に収納し、硬貨入出金口に入れた硬貨を硬貨入出金機で計数して金庫に収納することである。
【００１７】
また、出金処理とは利用者の操作により指定した金額に相当する紙幣および硬貨をそれぞれ紙幣入出金機および硬貨入出金機の金庫から繰り出して計数し紙幣入出金口および硬貨入出金口に搬送して利用者に払い出すことである。
【００１８】
２５は制御部であり、記憶部２５１、取引処理部２５２、通信装置部２５３等で構成されている。この制御部２５は利用者操作表示部２１、カードリーダプリンタ部２２、入出金部２３を含めて自動取引装置１全体の動作を記憶部２５１に格納されたソフトウエアにて制御する。
【００１９】
記憶部２５１は、半導体メモリや磁気ディスク等で構成されデータを格納して記憶および記憶したデータを読み取ることができるものである。
取引処理部２５２は利用者が行う入金、出金および振り込み等の取引を既定の手順にしたがって実行する手段である。
【００２０】
通信部２５３は専用回線２を介して接続されたホストコンピュータ３等との入金、出金および振り込み等の取引電文等をやり取りする。また、記憶部２５１のデータベースから読み出された連絡先に１取引ごとに乱数表等を用いて作成した暗証番号を音声またはメール手段等で通知する機能を有する情報通信装置４をここに組み込んでいてもよい。
【００２１】
上述した構成の作用について、図３の実施例１の取引システムのフローチャートにしたがって説明する。なお、以下に説明する各部の動作は図示しない記憶部に格納されたプログラム（ソフトウエア）に基づいて図示しない制御部により制御される。
【００２２】
実施例１は、取引装置１に投入された取引カード５から口座情報，名前および連絡先等の預貯金者を特定する記録情報を取得し、この記録情報とホストコンピュータ３の口座情報，名前および連絡先等の預貯金者を特定する記録情報との一致が確認された場合、あらかじめ登録された連絡先７にその取引に必要な暗証番号を公衆通信回線６にて通知するようにしたものである。
【００２３】
まず、利用者は金融機関等にあらかじめ口座情報，名前および連絡先等の預貯金者を特定する記録情報と連絡先（携帯電話番号または携帯電話メールアドレス）を登録する。
金融機関等は口座情報，名前および連絡先等の預貯金者を特定する記録情報と連絡先（携帯電話番号または携帯電話メールアドレス）をホストコンピュータ３に記憶する。
【００２４】
図３は、実施例１における取引システムのフローチャートでありＳＴで表すステップにしたがって説明する。
ＳＴ３０１：自動取引装置１の図示しない近接センサが利用者の接近を検知すると利用者操作表示部２１は取引選択画面を表示する。この取引選択画面「現金の預入れ」、「現金の支払い」、「振込み」等の取引選択画面が表示される。ここで、利用者は「現金の支払い」の取引選択ボタンを押下するものとする。
【００２５】
ＳＴ３０２：利用者により「現金の支払い」ボタンが押下されると利用者操作表示部２１は取引カード挿入誘導画面を表示する。この取引カード挿入誘導画面には「取引カードを入れてください」等の文言等を表示する。
【００２６】
ＳＴ３０３：取引カード５が自動取引装置１のカードリーダプリンタ部２２に投入されると、カードリーダプリンタ部２２は挿入された取引カードに記憶された口座番号等の口座情報を読み取り、ホストコンピュータ３へ送信する。利用者の口座情報を受信したホストコンピュータ３は、利用者の口座情報等を確認して自動取引装置１に連絡する。
【００２７】
ＳＴ３０４：自動取引装置１の利用者操作表示部２１にあらかじめ口座情報と関連つけて記憶した連絡先に音声案内通知またはメール通知かを選択する通知選択画面が表示され、どちらかを選択すると、自動取引装置１またはホストコンピュータ３は乱数表等を用いて作成したランダムな暗証番号を決定し取引終了まで管理する。
【００２８】
ＳＴ３０５：自動取引装置１またはホストコンピュータ３は、取引カードまたはホストコンピュータ３にあらかじめ登録された連絡先（携帯電話番号または携帯電話メールアドレス）７に、公衆回線６にてその「現金の支払い」に有効な暗証番号を選択した音声案内またはメールにて通知する。利用者操作表示部２１は暗証番号入力画面を表示する。この暗証番号入力画面には「暗証番号を押してください」等の文言および数字「０」から「９」までのテンキー等を表示する。利用者は利用者操作表示部２１に表示されたテンキーを押下して通知された暗証番号を入力する。ホストコンピュータ３は自動取引装置１から送信された暗証番号がその「現金の支払い」に有効な暗証番号であることを確認する。
【００２９】
ＳＴ３０６：ホストコンピュータ３で暗証番号が確認されると、取引処理部２５２は利用者操作表示部２１に入出金部２３に出金金額に相当する現金を出金することを表示する。  
【００３０】
ＳＴ３０７：現金の計数を開始するとともに利用者操作表示部２１に「現金計数中」と表示する。入出金部２３は計数した紙幣および硬貨を紙幣入出金口および硬貨入出金口に集積し、利用者へ排出する準備をする。
【００３１】
ＳＴ３０８：入出金部２３が現金の計数を完了すると取引処理部２５２は現金の支払い明細票に関する項目を表示し、カードリーダプリンタ部２２は明細票に取引内容等を印刷し排出口から排出する。
【００３２】
ＳＴ３０９：利用者が排出された現金および明細票を受け取ると現金の支払い取引を終了する。
【００３３】
＜実施例２＞
次に実施例２について説明する。なお、実施例１と同じ構造を有するものについては、同じ符号を付与することによってその説明を省略する。また、前記実施例１と同じ動作および同じ効果についても、その説明を省略する。
【００３４】
図４の実施例２の取引システムのフローチャートにしたがって説明する。なお、以下に説明する各部の動作は図示しない記憶部に格納されたプログラム（ソフトウエア）に基づいて図示しない制御部により制御される。
【００３５】
実施例２は、取引装置１に投入された取引カード５から預貯金者を口座情報，名前および連絡先等の特定する記録情報を取得し、この記録情報とホストコンピュータ３の口座情報，名前および連絡先等の預貯金者を特定する記録情報の一致が確認された場合、各種金融取引を実行すると共に情報送信装置はあらかじめ登録された複数の連絡先７に公衆通信回線６によってその取引の取引情報を通知するようにしたものである。
【００３６】
まず、利用者は金融機関等にあらかじめ口座情報，名前および連絡先等の預貯金者を特定する記録情報と家族等の複数の連絡先（携帯電話番号または携帯電話メールアドレス）７を登録する。
金融機関等は口座情報，名前および連絡先等の預貯金者を特定する記録情報と家族等の複数の連絡先（携帯電話番号または携帯電話メールアドレス）７をホストコンピュータ３に記憶する。
【００３７】
図４は、実施例２における取引システムのフローチャートでありＳＴで表すステップにしたがって説明する。
ＳＴ５０１：自動取引装置１の図示しない近接センサが利用者の接近を検知すると利用者操作表示部２１は取引選択画面を表示する。この取引選択画面「現金の預入れ」、「現金の支払い」、「振込み」等の取引選択画面が表示される。ここで、利用者は「現金の支払い」の取引選択ボタンを押下するものとする。
【００３８】
ＳＴ５０２：利用者により「現金の支払い」ボタンが押下されると利用者操作表示部２１は取引カード挿入誘導画面を表示する。この取引カード挿入誘導画面には「取引カードを入れてください」等の文言等を表示する。
【００３９】
ＳＴ５０３：取引カード５が自動取引装置１のカードリーダプリンタ部２２に投入されると、カードリーダプリンタ部２２は挿入された取引カードに記憶された口座番号等の口座情報を読み取り、ホストコンピュータ３へ送信する。利用者の口座情報を受信したホストコンピュータ３は、利用者の口座情報を確認して自動取引装置１に連絡する。
【００４０】
ＳＴ５０４：自動取引装置１の利用者操作表示部２１にあらかじめ口座情報と関連つけて記憶した連絡先に音声案内通知またはメール通知かを選択する通知選択画面が表示され、どちらかを選択する。
【００４１】
ＳＴ５０５：利用者操作表示部２１は暗証番号入力画面を表示する。この暗証番号入力画面には「暗証番号を押してください」等の文言および数字「０」から「９」までのテンキー等を表示する。利用者は利用者操作表示部２１に表示されたテンキーを押下して暗証番号を入力する。ホストコンピュータ３は自動取引装置１から送信された暗証番号が取引に有効な暗証番号であることを確認する。
【００４２】
ＳＴ５０６：ホストコンピュータ３で暗証番号が確認されると、取引処理部２５２は利用者操作表示部２１に入出金部２３に出金金額に相当する現金を出金することを表示する。  
【００４３】
ＳＴ５０７：現金の計数を開始するとともに利用者操作表示部２１に「現金計数中」と表示する。入出金部２３は計数した紙幣および硬貨を紙幣入出金口および硬貨入出金口に集積し、利用者へ排出する準備をする。
【００４４】
ＳＴ５０８：入出金部２３が現金の計数を完了すると取引処理部２５２は現金の支払い明細票に関する項目を表示し、カードリーダプリンタ部２２は明細票に取引内容等を印刷し排出口から排出する。また送信装置はあらかじめ登録された複数の連絡先７に利用日時，取引種別，金額のいずれかひとつを含むその取引の取引情報を通知する。
【００４５】
ＳＴ５０９：利用者が排出された現金および明細票を受け取ると現金の支払い取引を終了する。
【図面の簡単な説明】
【００４６】
【図１】本発明の取引システムの構成図である。
【図２】自動取引装置１のブロック図である。
【図３】実施例１の取引システムのフローチャートである。
【図４】実施例２の取引システムのフローチャートである。
【符号の説明】
【００４７】
１  自動取引装置
２  専用通信回線
３  ホストコンピュータ    
４  情報送信装置
５  取引カード
６  公衆通信回線  
７  連絡先
【図１】
2007079965.tif 000003
【図２】
2007079965.tif 000004
【図３】
2007079965.tif 000005
【図４】
2007079965.tif 000006